(57)【特許請求の範囲】
【請求項１】
セメントコンクリート縁石と舗装材との間に防草板が介装されてなる防草構造であって；
前記防草板が、亜鉛若しくはアルミニウムを主成分として含む金属板、又は亜鉛若しくはアルミニウムを主成分とするめっき層が形成された金属板からなり、
前記舗装材が、セメントコンクリート又はアスファルトコンクリートであり、
前記縁石の表面と前記防草板とが平行に配置され、
前記防草板に接する位置に、保水材又は保水空間が設けられ、かつ
前記防草板が、舗装面よりも下に位置するように介装されてなることを特徴とする防草構造。
【請求項２】
セメントコンクリート縁石と舗装材との間に防草板が介装されてなる防草構造であって；
前記防草板が、亜鉛若しくはアルミニウムを主成分として含む金属板、又は亜鉛若しくはアルミニウムを主成分とするめっき層が形成された金属板からなり、
前記舗装材が、セメントコンクリート又はアスファルトコンクリートであり、
前記縁石の表面と前記防草板とが平行に配置され、
保水材又は保水空間が、前記縁石と前記防草板との間に設けられ、かつ
前記防草板が、舗装面よりも下に位置するように介装されてなることを特徴とする防草構造。
【請求項３】
セメントコンクリート縁石と舗装材との間に防草板が介装されてなる防草構造であって；
前記防草板が、亜鉛又はアルミニウムを主成分とするめっき層が形成された金属板からなり、前記金属板が亜鉛又はアルミニウムよりも貴な金属を主成分として含むものであり、かつ前記めっき層の一部が剥離して下地が露出しており、
前記舗装材が、セメントコンクリート又はアスファルトコンクリートであり、
前記縁石の表面と前記防草板とが平行に配置され、かつ
前記防草板が、舗装面よりも下に位置するように介装されてなることを特徴とする防草構造。
【請求項４】
幅が５〜１００ｍｍであるテープ状の防草板が、前記縁石の長手方向に沿って設けられてなる請求項１〜３のいずれかに記載の防草構造。
【請求項５】
防草板が貼設されたセメントコンクリート縁石であって；
前記防草板が、亜鉛若しくはアルミニウムを主成分として含む金属板、又は亜鉛若しくはアルミニウムを主成分とするめっき層が形成された金属板からなり、
前記縁石の表面と前記防草板とが平行に配置され、
前記防草板に接する位置に、保水材又は保水空間が設けられ、かつ
前記防草板が、前記縁石の舗装面よりも下側で舗装材と接する位置に貼設されてなることを特徴とするセメントコンクリート縁石。
【請求項６】
防草板が貼設されたセメントコンクリート縁石であって；
前記防草板が、亜鉛若しくはアルミニウムを主成分として含む金属板、又は亜鉛若しくはアルミニウムを主成分とするめっき層が形成された金属板からなり、
前記縁石の表面と前記防草板とが平行に配置され、
保水材又は保水空間が、前記縁石と前記防草板との間に設けられ、かつ
前記防草板が、前記縁石の舗装面よりも下側で舗装材と接する位置に貼設されてなることを特徴とするセメントコンクリート縁石。
【請求項７】
セメントコンクリート縁石と舗装材との間に介装される防草板であって；
前記防草板が、亜鉛若しくはアルミニウムを主成分として含む金属板、又は亜鉛若しくはアルミニウムを主成分とするめっき層が形成された金属板からなり、
前記防草板の表面に保水材、又は保水空間を形成するためのスペーサーが設けられてなることを特徴とする防草板。
【請求項８】
セメントコンクリート縁石と舗装材との間に介装される防草板であって；
前記防草板が近接する２枚の金属板からなり、該金属板の少なくとも一方が亜鉛若しくはアルミニウムを主成分として含む金属板、又は亜鉛若しくはアルミニウムを主成分とするめっき層が形成された金属板からなることを特徴とする防草板。
【請求項９】
セメントコンクリート縁石と舗装材との間に介装される防草板であって；
前記防草板が、亜鉛又はアルミニウムを主成分とするめっき層が形成された金属板からなり、前記金属板が亜鉛又はアルミニウムよりも貴な金属を主成分として含むものであり、かつ前記めっき層の一部が剥離して下地が露出していることを特徴とする防草板。
【請求項１０】
セメントコンクリート縁石と舗装材との間に介装される防草板であって；
前記防草板が、複数の金属板が積層されてなるものであり、亜鉛若しくはアルミニウムを主成分として含む金属板、又は亜鉛若しくはアルミニウムを主成分とするめっき層が形成された金属板と、亜鉛若しくはアルミニウムよりも貴な金属を主成分として含む金属板、又は亜鉛若しくはアルミニウムよりも貴な金属を主成分とするめっき層が形成された金属板とが電気的に接触していることを特徴とする防草板。
【発明の詳細な説明】
【技術分野】
【０００１】
本発明は、セメントコンクリート縁石と舗装材との間に防草板が介装されてなる防草構造に関する。また、本発明は、防草板が貼設されたセメントコンクリート縁石に関する。さらに、本発明は、セメントコンクリート縁石と舗装材との間に介装される防草板に関する。
【背景技術】
【０００２】
道路の縁石と舗装材の隙間から生えた雑草は、景観を悪化させるのみならず、道路の幅員を狭めたり、運転者の視界を悪化させたりして交通の安全を損なうおそれがある。
【０００３】
このような雑草を除去するため、人手による草刈りや除草剤の散布が一般的に行われている。しかしながら、縁石と舗装材の隙間から生えた雑草を草刈り機で刈り取ることは困難であり、このような部分の草刈りは重労働である。また、除草剤の散布については、その安全性等の問題から使用範囲が限られている。さらに、道路での草刈りや除草剤の散布作業には危険を伴う。
【０００４】
除草の労力を軽減する方法として、道路の縁石と舗装材との間に防草構造を設けて雑草が生えるのを抑制する方法が知られている。特許文献１には、道路のコンクリートブロックと、アスファルトやコンクリートの舗装の目地において、カッターを用いて切込みを形成することによって屈光性と屈地性に逆らう誘導路を形成し、当該誘導路に、防草材を取付ける防草構造の形成方法が記載されている。当該防草構造は、植物の屈光性と屈地性とを利用したものであり、具体的には、コンクリートブロックと舗装材の間に設置された誘導路によって、雑草の茎や根が伸びる方向を所定の方向に誘導することにより、雑草の生長の抑制を図ったものである。しかしながら、このような防草構造を形成する作業は煩雑であり、コストが高かった。
【０００５】
一方、特許文献２には、貫通孔が形成されたシートと、前記シートの表面側に設けられる留具頭部と地中に設けられる留具胴部とを有し、前記貫通孔に挿通されて当該シートを地表に固定する留具とを備えた防草構造体が記載されている。当該構造体はさらに前記貫通孔及び前記留具頭部の周囲に水を溜める水溜部と、前記水溜部に溜めた水に植物の成長を抑制する物質を添加して水溶液を生成する水溶液生成部とを備えていると記載されている。そして、前記留具として、亜鉛メッキ層を有するものや、アルミニウム製のものを用いた場合に、亜鉛やアルミニウムが前記水溜部の水に溶出して水溶液が生成し、当該水溶液が地中に浸透することにより、植物の成長が抑制されると記載されている。しかしながら、特許文献２に記載された防草構造体は、構造上、縁石と舗装材の間に設置することが困難であった。
【先行技術文献】
【特許文献】
【０００６】
【特許文献１】特開２０１４−８８６７４号公報
【特許文献２】特開２０１２−２００２３４号公報
【発明の概要】
【発明が解決しようとする課題】
【０００７】
本発明は上記課題を解決するためになされたものであり、セメントコンクリート縁石と舗装材の隙間から雑草が生えるのを効率的に防止でき、なおかつ安価な防草構造を提供することを目的とするものである。また、このような防草構造に好適に用いられるセメントコンクリート縁石及び防草板を提供することを目的とする。
【課題を解決するための手段】
【０００８】
上記課題は、セメントコンクリート縁石（以下、セメントコンクリート縁石を縁石と略記することがある）と舗装材との間に防草板が介装されてなる防草構造であって；前記防草板が、亜鉛若しくはアルミニウムを主成分として含む金属板、又は亜鉛若しくはアルミニウムを主成分とするめっき層が形成された金属板からなり、前記舗装材が、セメントコンクリート又はアスファルトコンクリートであり、前記縁石の表面と前記防草板とが平行に配置され、かつ前記防草板が、舗装面よりも下に位置するように介装されてなる防草構造を提供することによって解決される。
【０００９】
前記防草構造が、前記防草板に接する位置に、保水材又は保水空間が設けられてなるものであることが好適である。前記防草構造が、前記保水材又は前記保水空間が、前記縁石と前記防草板との間に設けられてなるものであることも好適である。前記防草構造が、幅が５〜１００ｍｍであるテープ状の防草板が、前記縁石の長手方向に沿って設けられてなるものであることも好適である。前記防草板が、亜鉛又はアルミニウムを主成分とするめっき層が形成された金属板からなり、前記金属板が亜鉛又はアルミニウムよりも貴な金属を主成分として含むものであり、かつ前記めっき層の一部が剥離して下地が露出していることが好適である。
【００１０】
上記課題は、防草板が貼設された縁石であって；前記防草板が、亜鉛若しくはアルミニウムを主成分として含む金属板、又は亜鉛若しくはアルミニウムを主成分とするめっき層が形成された金属板からなり、前記縁石の表面と前記防草板とが平行に配置され、かつ前記防草板が、前記縁石の舗装面よりも下側で舗装材と接する位置に貼設されてなる縁石を提供することによっても解決される。
【００１１】
前記縁石が、前記防草板に接する位置に、保水材又は保水空間が設けられてなるものであることが好適である。前記縁石が、前記保水材又は前記保水空間が、前記縁石と前記防草板との間に設けられてなるものであることも好適である。
【００１２】
上記課題は、縁石と舗装材との間に介装される防草板であって；前記防草板が、亜鉛若しくはアルミニウムを主成分として含む金属板、又は亜鉛若しくはアルミニウムを主成分とするめっき層が形成された金属板からなり、前記防草板の表面に保水材又は、保水空間を形成するためのスペーサーが設けられてなる防草板を提供することによっても解決される。
【００１３】
上記課題は、縁石と舗装材との間に介装される防草板であって；前記防草板が近接する２枚の金属板からなり、該金属板の少なくとも一方が亜鉛若しくはアルミニウムを主成分として含む金属板、又は亜鉛若しくはアルミニウムを主成分とするめっき層が形成された金属板からなる防草板を提供することによっても解決される。
【００１４】
上記課題は、縁石と舗装材との間に介装される防草板であって；前記防草板が、亜鉛又はアルミニウムを主成分とするめっき層が形成された金属板からなり、前記金属板が亜鉛又はアルミニウムよりも貴な金属を主成分として含むものであり、かつ前記めっき層の一部が剥離して下地が露出している防草板を提供することによっても解決される。
【００１５】
上記課題は、セメントコンクリート縁石と舗装材との間に介装される防草板であって；前記防草板が、複数の金属板が積層されてなるものであり、亜鉛若しくはアルミニウムを主成分として含む金属板、又は亜鉛若しくはアルミニウムを主成分とするめっき層が形成された金属板と、亜鉛若しくはアルミニウムよりも貴な金属を主成分として含む金属板、又は亜鉛若しくはアルミニウムよりも貴な金属を主成分とするめっき層が形成された金属板とが電気的に接触している防草板を提供することによっても解決される。
【発明の効果】
【００１６】
本発明の防草構造は、セメントコンクリート縁石と舗装材の隙間から雑草が生えるのを効率的に防止でき、なおかつ安価である。また、本発明のセメントコンクリート縁石及び防草板はこのような防草構造に好適に用いられる。
【図面の簡単な説明】
【００１７】
【図１】本発明の防草構造の一例の断面の模式図である。
【図２】テープ状の防草板がセメントコンクリート縁石に貼設されてなる防草構造の断面の拡大模式図である。
【図３】テープ状の防草板が貼設されてなるセメントコンクリート縁石の外観図である。
【図４】近接する２枚の金属板からなる防草板がセメントコンクリート縁石に貼設されてなる防草構造の断面の拡大模式図である。
【図５】１枚の金属板を折り曲げてなる防草板がセメントコンクリート縁石に貼設されてなる防草構造の断面の拡大模式図である。
【図６】複数の金属板が積層されてなる防草板がセメントコンクリート縁石に貼設されてなる防草構造の断面の拡大模式図である。
【図７】１枚の金属板を折り曲げて形成された２枚の金属板の間に、金属板が挟持されてなる防草板がセメントコンクリート縁石に貼設されてなる防草構造の断面の拡大模式図である。
【発明を実施するための形態】
【００１８】
以下、本発明の実施の形態について図面を参照して説明する。図１は、本発明の防草構造１の一例の断面の模式図である。本発明の防草構造１は、セメントコンクリート縁石２と舗装材３との間に防草板４が介装されてなる防草構造１であって；前記防草板４が、亜鉛若しくはアルミニウムを主成分として含む金属板、又は亜鉛若しくはアルミニウムを主成分とするめっき層が形成された金属板からなり、前記舗装材３が、セメントコンクリート又はアスファルトコンクリートであり、前記縁石２の表面と前記防草板４とが平行に配置され、かつ前記防草板４が、舗装面５よりも下に位置するように介装されてなるものである。
【００１９】
本発明の防草構造１は道路等に設置される。本発明の防草構造１において、セメントコンクリート縁石２は、舗装材３と接するセメントコンクリートからなる構造物であれば特に限定されず、例えば、車道と歩道の境界に設けられるセメントコンクリート縁石、車道と中央分離帯の境界に設けられるセメントコンクリート縁石、道路と道路外の境界に設けられるセメントコンクリート縁石、セメントコンクリートからなる側溝、桝等が挙げられる。本発明の防草構造１において、縁石２は、セメントコンクリートの二次製品を設置してなるものであってもよいし、防草構造１が設置される現場でセメントコンクリートを打設してなるものであってもよい。縁石２に用いられる二次製品としては、歩車道境界ブロック、マウントアップブロック、地先境界ブロック、Ｌ形側溝、Ｕ形側溝、桝等が挙げられる。本発明の効果を阻害しない範囲であれば、縁石２が塗装されていても構わない。
【００２０】
本発明の防草構造１において、舗装材３として、セメントコンクリート又はアスファルトコンクリートが用いられる。舗装材３の下に配置される層の構成は特に限定されず、通常、セメントコンクリート舗装やアスファルトコンクリート舗装において使用される層構成が採用される。セメントコンクリート又はアスファルトコンクリートからなる舗装材３の下には、通常、路盤６が形成される。
【００２１】
本発明の防草構造１において、縁石２と舗装材３との間に防草板４が介装される。このとき、防草板４が、舗装面５（路面）よりも下に位置するように介装される必要がある。防草板４は外から見えない位置に配置され、防草板４全体が舗装面５よりも下に配置される必要がある。舗装面５から防草板４までの距離は、通常、５〜２００ｍｍである。防草板４の一部が、縁石２と、舗装材３の下の層（路盤６）との間に介装されていてもよい。すなわち、防草板４の一部が、舗装材３と、その下の層（路盤６）との境界７よりも下に配置されていてもよい。
【００２２】
本発明の防草構造１において使用される防草板４は、亜鉛若しくはアルミニウムを主成分として含む金属板、又は亜鉛若しくはアルミニウムを主成分とするめっき層が形成された金属板からなるものである。亜鉛元素やアルミニウム元素には、植物の生長を抑制する作用があることが知られている。防草板４に水が接触すると、防草板４中の亜鉛元素又はアルミニウム元素が溶解した水溶液が生成する。当該水溶液が舗装材３や路盤６等に浸透して、亜鉛元素又はアルミニウム元素が含有されることにより防草効果が生じる。コスト面からは、防草板４が亜鉛を主成分として含む金属板及び亜鉛を主成分とするめっき層が形成された金属板であることが好適である。一方、植物の生長を抑制する作用がより優れる点からは、防草板４がアルミニウムを主成分として含む金属板及びアルミニウムを主成分とするめっき層が形成された金属板であることが好適である。
【００２３】
本発明の防草構造１において、縁石２と防草板４とを近接させるため、縁石２の表面と防草板４とが平行に配置される必要がある。セメントコンクリート縁石２に水が接触すると、当該水にセメントコンクリート中の成分が溶解してアルカリ性の水溶液となる。アルカリ性の水溶液は、亜鉛元素及びアルミニウム元素を溶解させやすい。本発明の防草構造１において、縁石２に接触した水がアルカリ性となって、当該縁石２に近接する防草板４に接触することにより、防草板４から亜鉛元素及びアルミニウム元素が効率良く溶出されるため、優れた防草効果が奏される。縁石２の表面と、防草板４の表面の距離は、本発明の効果を阻害しない範囲であればよく、特に限定されない。
【００２４】
亜鉛若しくはアルミニウムを主成分として含む金属板、又は亜鉛若しくはアルミニウムを主成分とするめっき層が形成された金属板からなる前記防草板４の厚みは、通常、０．０１〜１０ｍｍである。前記防草板４の厚みは、０．０５ｍｍ以上が好適であり、０．１ｍｍ以上がより好適であり、０．２ｍｍ以上がさらに好適である。前記防草板４の形状や大きさは特に限定されないが、幅が５〜１００ｍｍであるテープ状のものであることが好適である。テープ状の金属板の長さは防草構造１の形状等に合わせて適宜調整すればよい。
【００２５】
防草板４として用いられる、亜鉛又はアルミニウムを含む金属板は、亜鉛又はアルミニウムを主成分として含むものであれば特に限定されず、一般的な亜鉛板、亜鉛合金板、アルミニウム板、アルミニウム合金板が用いられる。前記金属板中の亜鉛又はアルミニウムの含有量は、５０重量％以上であることが好適である。
【００２６】
防草板４として用いられる、めっき層が形成された金属板は、亜鉛又はアルミニウムを主成分として含むめっき層が形成された金属板であれば特に限定されない。前記めっき層中の亜鉛又はアルミニウムの含有量は、５０重量％以上であることが好適である。めっきが形成される金属板（基材）は特に限定されず、各種金属板が使用される。中でも鉄を主成分として含む金属板が好適であり、鉄を５０重量％以上含む金属板がより好適である。金属板（基材）の厚みは、通常、０．０５〜１０ｍｍである。金属板（基材）の厚みは、０．２ｍｍ以上が好適であり、０．４ｍｍ以上がより好適である。
【００２７】
亜鉛又はアルミニウムを主成分とするめっき層の形成方法は特に限定されず、一般的な溶融めっき方法や電気めっき方法、溶射などによって形成することができる。亜鉛を主成分とするめっき層を溶融めっきにより形成する場合には、ＪＩＳ  Ｈ  ８６４１「溶融亜鉛めっき」に規定されているめっき方法等が採用される。また、アルミニウムを主成分とするめっき層を溶融めっきにより形成する場合には、ＪＩＳ  Ｈ  ８６４２「溶融アルミニウムめっき」に規定されているめっき方法等が採用される。また、亜鉛を主成分とするめっき層を電気めっきにより形成する場合には、ＪＩＳ  Ｈ  ８６１０「電気亜鉛めっき」に規定されるめっき方法等が採用される。また、溶射によりめっき層を形成する場合には、ＪＩＳ  Ｈ  ８３００「亜鉛・アルミニウム及びそれら合金の溶射」に規定される方法等が採用される。
【００２８】
前記めっき層の厚みは特に限定されないが、通常、２〜１２５μｍである。亜鉛又はアルミニウムを主成分とする前記めっき層は、金属板表面の少なくとも片面に形成されていればよく、金属板の両面に形成されていることが好ましい。
【００２９】
防草板４が、縁石２と舗装材３との間に介装される防草板４であって；亜鉛又はアルミニウムを主成分とするめっき層が形成された金属板からなり、前記金属板が亜鉛又はアルミニウムよりも貴な金属を主成分として含むものであり、かつ前記めっき層の一部が剥離して下地が露出しているものであることが好適である。ここで、前記めっき層が亜鉛を主成分とするものである場合、下地の金属板は、亜鉛よりも貴な金属を主成分とするものであり、前記めっき層がアルミニウムを主成分とするものである場合、下地の金属板は、アルミニウムよりも貴な金属を主成分とするものである。この場合、下地の金属板と、めっき層中の亜鉛又はアルミニウムとによる犠牲防食作用によって、亜鉛元素及びアルミニウム元素が水にさらに溶解し易くなり、防草効果がさらに向上すると考えられる。前記金属板に含有される、亜鉛又はアルミニウムよりも貴な金属としては、鉄が挙げられる。前記金属板における、亜鉛又はアルミニウムよりも貴な金属の含有量は、５０重量％以上であることが好適である。前記めっき層を剥離する方法は特に限定されないが、機械的に剥離する方法や、化学処理により剥離する方法等が挙げられる。亜鉛元素及びアルミニウム元素が特に溶解し易くなる点からは、下地が露出した領域のパターンが、格子状、ストライプ状、ドット状であることが好適である。
【００３０】
図２に、テープ状の防草板４がセメントコンクリート縁石２に貼設されてなる防草構造１の断面の拡大模式図を示す。図３に、当該防草構造１に用いられるテープ状の防草板４が貼設されてなるセメントコンクリート縁石８の外観図を示す。ただし、図３において、スペーサー９の図示を省略している。本発明の防草構造１において、テープ状の防草板４が、縁石２の長手方向に沿って設けられていることが好適である。これにより、縁石２と舗装材３の間のような狭く連続する場所においてさらに効率的に防草効果が奏される。防草板４を縁石２に対して設置する方法は特に限定されないが、縁石２の舗装面５よりも下の位置に防草板４を貼設することが好適である。
【００３１】
防草板４を縁石２に貼設する方法は特に限定されず、例えば、クロロプレン系接着剤、天然ゴム系接着剤等の接着剤や、ブチルゴム系、アクリル系等の粘着剤を用いて、防草板４と縁石２とを接着させる方法が挙げられる。このとき、防草板４として、当該防草板４の表面に粘着剤層が形成されたものを用いても構わない。このような防草板４として、アルミニウム箔テープや亜鉛箔テープ等が挙げられる。
【００３２】
また、防草板４を縁石２に貼設する方法として、防草板４と縁石２の間にゴムシートや樹脂シート等のシートを介装させる方法も挙げられる。前記ゴムシートに用いられるゴムとしては、クロロプレンゴム、天然ゴム等のジエン系ゴム；ブチルゴム、エチレン−プロピレン−非共役ジエン共重合体ゴム（ＥＰＤＭ）等のオレフィン系ゴム等が挙げられる。前記樹脂シートに用いられる樹脂としては、ポリ塩化ビニル、ポリエチレン、ポリプロピレン、ポリスチレン、ポリエステル、ポリアミド、ポリウレタン、ナイロン樹脂、フェノール樹脂、アクリル樹脂等が挙げられる。また、防草板４と縁石２の間に介装させるシートとして、後述する保水材を用いてもよい。前記シートの厚みは特に限定されないが、通常、０．１〜１０ｍｍである。前記シートと、縁石２又は防草板４とを接着させる方法は特に限定されず、例えば、接着剤や粘着剤を用いる方法が挙げられる。このとき使用される接着剤や粘着剤として、防草板４と縁石２の接着に使用されるものとして上述したものが使用される。また、粘着性を有するシートを用いて、当該シートと、縁石２又は防草板４とを直接接着させる方法も挙げられる。
【００３３】
防草板４が、縁石２と舗装材３との間に介装される防草板４であって；防草板４が、亜鉛若しくはアルミニウムを主成分として含む金属板、又は亜鉛若しくはアルミニウムを主成分とするめっき層が形成された金属板からなり、防草板４の表面に保水材又は、保水空間１０、１１を形成するためのスペーサー９が設けられてなるものであることが好適である。
【００３４】
スペーサー９が設けられてなる前記防草板４において、スペーサー９は、通常、防草板４の片面の一部に設けられる。スペーサー９と縁石２が接着されることにより、防草板４が縁石２に貼設される。防草板４と縁石２の間にスペーサー９が介装されることにより、防草板４と縁石２の間に保水空間１０、１１が形成される。本発明の防草構造１において、防草板４に接する位置に保水空間１０、１１が設けられていることが好適である。これにより、水と防草板４との接触時間が長くなるため、亜鉛元素及びアルミニウム元素の溶出量が増加して防草効果がさらに向上する。また、本発明の防草構造１において、保水空間１０、１１が、縁石２と防草板４との間に設けられていることも好適である。これにより、水と防草板４との接触時間が長くなるとともに、保水空間１０、１１中の水がアルカリ性となるため、亜鉛元素及びアルミニウム元素の溶出量が増加して防草効果がさらに向上する。
【００３５】
スペーサー９の形状は特に限定されず、防草板４の形状や、保水空間１０、１１の形状に応じて適宜調整することができる。スペーサー９の厚みは特に限定されないが、通常、０．１〜１０ｍｍである。表面張力を利用して、防草板４と縁石２の間に水を移動させたり、保持させたりするためには、スペーサー９の厚みは０．１〜２ｍｍが好適である。表面張力を利用することにより、水が保水空間１０、１１に保持され易くなるため、亜鉛元素及びアルミニウム元素の溶出量が増加して、防草効果がさらに向上する。保水空間１０の上面が開口している場合、主として雨水等が保持される。保水空間１１の下面が開口している場合であっても表面張力により水が保持される。保水空間１０、１１は、１面のみ開口していてもよいし、２面以上開口していてもよい。１面のみ開口した保水空間１０、１１は、凹状のスペーサー９を用いること等により形成することができる。
【００３６】
防草板４に用いられるスペーサー９は特に限定されず、ゴムシートや樹脂シート等が挙げられる。当該ゴムシートや樹脂シートとして、防草板４と縁石２の間に介装されるシートとして上述したものが用いられる。また、後述する、保水材をスペーサー９として用いても構わない。
【００３７】
保水材が設けられてなる前記防草板４において、保水材は防草板４の表面の一部のみに設けられていてもよいし、全面に設けられていてもよい。また、保水材は防草板４の片面に設けられていてもよいし、両面に設けられていてもよい。本発明の防草構造１において、防草板４に接する位置に保水材が設けられていることが好適である。これにより、水と防草板４との接触時間が長くなるため、亜鉛元素及びアルミニウム元素の溶出量が増加して防草効果がさらに向上する。前記防草板４は、保水材と縁石２を接着することにより、縁石２に貼設される。本発明の防草構造１において、保水材が、縁石２と防草板４との間に設けられていることも好適である。これにより、水と防草板４との接触時間が長くなるとともに、保水材中の水がアルカリ性となるため、亜鉛元素及びアルミニウム元素の溶出量が増加して防草効果がさらに向上する。
【００３８】
保水材の厚みは特に限定されないが、０．１〜１０ｍｍであることが好適である。保水材としては、高分子吸水剤等を配合した水膨張ゴムや水膨張ポリウレタン；クロロプレン、ＥＰＤＭ、ポリオレフィン、ウレタン等のスポンジ等が用いられる。前記スポンジは、特に連続気泡構造のものが好ましい。保水材と、縁石２又は防草板４とを接着する方法としては、防草板４と縁石２の間に介装されるシートの接着に用いられる方法として上述した方法が採用される。
【００３９】
図４に、近接する２枚の金属板１２、１３からなる防草板４がセメントコンクリート縁石２に貼設されてなる防草構造１の断面の拡大模式図を示す。図４のように、前記防草板４が、縁石２と舗装材３との間に介装される防草板４であって；防草板４が近接する２枚の金属板１２、１３からなり、当該金属板１２、１３の少なくとも一方が亜鉛若しくはアルミニウムを主成分として含む金属板、又は亜鉛若しくはアルミニウムを主成分とするめっき層が形成された金属板からなるものであることも好適である。２枚の金属板１２、１３の間には、スペーサー１４が介装されていて、当該スペーサー１４により、当該金属板１２、１３が固定されるとともに、２枚の金属板１２、１３の間に保水空間１５、１６が設けられる。これにより、水と防草板との接触時間が長くなるため、亜鉛元素及びアルミニウム元素の溶出量が増加して防草効果がさらに向上する。２枚の金属板１２、１３は平行であることが好適である。
【００４０】
スペーサー１４として、上述した、防草板４の表面に設けられるスペーサー９と同様のものが使用される。スペーサー１４と金属板１２、１３との接着方法は、上述した、防草板４の表面に設けられるスペーサー９を接着させる方法と同様の方法が使用される。スペーサー１４の厚みは特に限定されないが、通常、０．１〜１０ｍｍである。表面張力を利用して、２枚の金属板１２、１３の間に水を移動させたり、保持させたりするためには、スペーサー１４の厚みは０．１〜２ｍｍが好適である。防草板４の表面にはスペーサー９又は保水材が設けられていることが好適である。スペーサー９又は保水材と、縁石２とを接着することにより、防草板４が縁石２に貼設される。スペーサー９が表面に設けられた防草板４を縁石２に貼設する場合、防草板４と縁石２の間に保水空間１０、１１を設けることが好適である。亜鉛若しくはアルミニウムを主成分として含む金属板、又は亜鉛若しくはアルミニウムを主成分とするめっき層が形成された金属板が縁石２と対向することが好適である。
【００４１】
前記防草板４において、スペーサー１４の代わりに保水材を金属板１２、１３の間に介装させることも好適である。保水材として、上述した、防草板４の表面に設けられる保水材と同様のものが使用される。保水材と金属板１２、１３との接着方法は、上述した、防草板４の表面に設けられる保水材を接着させる方法と同様の方法が使用される。保水材の厚みは特に限定されないが、０．１〜１０ｍｍであることが好適である。
【００４２】
上記のように、２枚の金属板１２、１３の間に保水空間１５、１６や保水材を設けることにより、水と金属板１２、１３との接触時間が長くなるため、金属板１２、１３中の亜鉛元素及びアルミニウム元素の溶出量が増加して防草効果がさらに向上する。
【００４３】
近接する２枚の金属板１２、１３からなる前記防草板４に用いられる亜鉛若しくはアルミニウムを主成分として含む金属板、又は亜鉛若しくはアルミニウムを主成分とするめっき層が形成された金属板以外の金属板は特に限定されず、鉄、銅又はニッケルを主成分として含む金属板等が挙げられる。当該金属板中の鉄、銅又はニッケルの含有量は、５０重量％以上であることが好適である。当該金属板の厚みは特に限定されないが、通常０．０５〜１０ｍｍである。当該金属板の厚みは、０．１ｍｍ以上が好適であり、０．２ｍｍ以上がより好適である。
【００４４】
近接する２枚の金属板１２、１３からなる前記防草板４において、亜鉛若しくはアルミニウムを主成分として含む金属板、又は亜鉛若しくはアルミニウムを主成分とするめっき層が形成された金属板とともに使用される金属板が、亜鉛若しくはアルミニウムよりも貴な金属を主成分として含む金属板、又は亜鉛若しくはアルミニウムよりも貴な金属を主成分とするめっき層が形成された金属板であることが好適である。ここで、亜鉛を主成分として含む金属板又は亜鉛を主成分とするめっき層が形成された金属板とともに使用される金属板は、亜鉛よりも貴な金属を主成分として含む金属板又は亜鉛よりも貴な金属を主成分とするめっき層が形成された金属板であり、アルミニウムを主成分として含む金属板又はアルミニウムを主成分とするめっき層が形成された金属板とともに使用される金属板は、アルミニウムよりも貴な金属を主成分として含む金属板又はアルミニウムよりも貴な金属を主成分とするめっき層が形成された金属板である。これにより、２枚の金属板１２、１３の間の保水空間１５、１６又は保水材に水が保持された際に、亜鉛及びアルミニウムが酸化されて溶出され易くなるため、防草効果がさらに向上する。亜鉛又はアルミニウムよりも貴な金属を主成分とする金属板としては、鉄、銅又はニッケルを主成分として含む金属板等が挙げられる。当該金属板中における、亜鉛又はアルミニウムよりも貴な金属の含有量は、５０重量％以上であることが好適である。また、２枚の金属板１２、１３として、亜鉛を主成分として含む金属板又は亜鉛を主成分とするめっき層が形成された金属板と、アルミニウムを主成分として含む金属板又はアルミニウムを主成分とするめっき層が形成された金属板とを用いることも好適である。アルミニウムは亜鉛よりも卑であるため、アルミニウムの溶出量が増加して防草効果がさらに向上する。
【００４５】
図５に、１枚の金属板を折り曲げてなる防草板４がセメントコンクリート縁石４に貼設されてなる防草構造１の断面の拡大模式図を示す。図５のように、近接する２枚の金属板１２、１３からなる前記防草板４は、１枚の金属板を折り曲げることにより形成されたものであってもよい。当該防草板４は安価に製造できるため好適である。亜鉛若しくはアルミニウムを主成分として含む金属板、又は亜鉛若しくはアルミニウムを主成分とするめっき層が形成された金属板をＵ字型やコの字型に折り曲げて、近接する２枚の金属板１２、１３を形成することにより、当該金属板１２、１３の間に保水空間１５が設けられる。保水空間１５は下面が開口していてもよいし、上面が開口していてもよい。また、金属板１２、１３の間に保水材やスペーサーを介装させてもよい。
【００４６】
図６に、複数の金属板１２、１３、１７が積層されてなる防草板４がセメントコンクリート縁石２に貼設されてなる防草構造１の断面の拡大模式図を示す。前記防草板４が、縁石２と舗装材３との間に介装される防草板４であって；前記防草板が、複数の金属板１２、１３、１７が積層されてなるものであり、亜鉛若しくはアルミニウムを主成分として含む金属板、又は亜鉛若しくはアルミニウムを主成分とするめっき層が形成された金属板と、亜鉛若しくはアルミニウムよりも貴な金属を主成分として含む金属板、又は亜鉛若しくはアルミニウムよりも貴な金属を主成分とするめっき層が形成された金属板とが電気的に接触しているものであることも好適である。ここで、亜鉛を主成分として含む金属板又は亜鉛を主成分とするめっき層が形成された金属板と電気的に接触する金属板は、亜鉛よりも貴な金属を主成分として含む金属板又は亜鉛よりも貴な金属を主成分とするめっき層が形成された金属板であり、アルミニウムを主成分として含む金属板又はアルミニウムを主成分とするめっき層が形成された金属板と電気的に接触する金属板は、アルミニウムよりも貴な金属を主成分として含む金属板又はアルミニウムよりも貴な金属を主成分とするめっき層が形成された金属板である。これにより、亜鉛及びアルミニウムが酸化されて溶出され易くなるため、防草効果がさらに向上する。亜鉛又はアルミニウムよりも貴な金属を主成分とする金属板としては、鉄、銅又はニッケルを主成分として含む金属板等が挙げられる。当該金属板中における、亜鉛又はアルミニウムよりも貴な金属の含有量は、５０重量％以上であることが好適である。また、前記防草板４が、亜鉛を主成分として含む金属板又は亜鉛を主成分とするめっき層が形成された金属板と、アルミニウムを主成分として含む金属板又はアルミニウムを主成分とするめっき層が形成された金属板とが電気的に接触していることも好適である。アルミニウムは亜鉛よりも卑であるため、アルミニウムの溶出量が増加して防草効果がさらに向上する。亜鉛若しくはアルミニウムを主成分として含む金属板、又は亜鉛若しくはアルミニウムを主成分とするめっき層が形成された金属板が縁石２と対向することも好適である。
【００４７】
図６に示される防草板４は、３枚の金属板１２、１３、１７が積層されてなるものである。当該防草板４は、２枚の金属板１２、１３の間に、金属板１７が挟持されることにより形成される。保水空間１５の代わりに、金属板１７が設置されることと、当該金属板１７に合わせて、２枚の金属板１３、１４の間のスペーサー１４の厚みを調整すること以外は、当該防草板４は、上述した、２枚の金属板１２、１３からなる防草板４と同じである。２枚の金属板１３、１４の間のスペーサー１４として、保水材を用いることが好適であり、上述した、防草板４の表面に設けられる保水材と同様のものが使用される。金属板同士を直接接触させることにより、金属板同士を電気的に接触させてもよいし、金属板の間に、導電性の接着剤層や導電性の粘着剤層が形成することにより、金属板同士を電気的に接触させてもよい。
【００４８】
図７に、１枚の金属板を折り曲げて形成された２枚の金属板１２、１３の間に、金属板１７が挟持されてなる防草板４がセメントコンクリート縁石４に貼設されてなる防草構造１の断面の拡大模式図を示す。図７のように、２枚の金属板１２、１３が、１枚の金属板を折り曲げることにより形成されたものであってもよい。当該防草板４は安価に製造できるため好適である。保水空間１５の代わりに、金属板１７が設置されることと、当該金属板１７に合わせて、２枚の金属板１２、１３の距離を調整すること以外は、当該防草板４は、上述した、１枚の金属板を折り曲げてなる防草板４と同じである。
【００４９】
本発明の防草構造１の形成方法は特に限定されないが、予め防草板４を縁石２に固定した後、舗装材３を敷設することにより、縁石２と舗装材３の間に防草板４を介装させる方法などが採用される。舗装材３の敷設方法は、一般的なアスファルトコンクリート舗装やセメントコンクリート舗装の施工方法が採用される。本発明の防草構造１は、道路等が建設される際に形成してもよいし、舗装材３の打換えの際に形成してもよい。
【００５０】
本発明の防草構造１において、防草板４が貼設されたセメントコンクリート縁石８であって；防草板４が、亜鉛若しくはアルミニウムを主成分として含む金属板、又は亜鉛若しくはアルミニウムを主成分とするめっき層が形成された金属板からなり、縁石２の表面と防草板４とが平行に配置され、かつ防草板４が、縁石２の舗装面５よりも下側で舗装材３と接する位置に貼設されてなる縁石８が好適に用いられる。当該縁石８は、防草構造１が設置される現場において、縁石２に防草板４を貼設することにより形成されたものであってもよいし、防草板４が貼設されたセメントコンクリートの二次製品であってもよい。
【００５１】
本発明の防草構造１によれば、縁石２と舗装材３の隙間から雑草が生えるのを効率的に防止でき、なおかつ安価である。したがって、道路等における、縁石２と舗装材３の隙間の防草に広く用いることができる。
【符号の説明】
【００５２】
１  防草構造
２、８  縁石
３  舗装材
４  防草板
５  舗装面
６  路盤
７  境界
９、１４  スペーサー
１０、１１、１５、１６  保水空間
１２、１３、１７  金属板
【図１】
0006492306.tif 000002
【図２】
0006492306.tif 000003
【図３】
0006492306.tif 000004
【図４】
0006492306.tif 000005
【図５】
0006492306.tif 000006
【図６】
0006492306.tif 000007
【図７】
0006492306.tif 000008